(57)【要約】【課題】サラウンドスピーカを構成するリヤスピーカ１５、１６に対する電源配線や信号配線を無くすとともに、さらにこれらのスピーカ１５、１６を床面に配することなくしかも狭い部屋であっても広い空間と同じような音響効果を発生させる。【解決手段】天井２１の取付け接続具２２の部分に差込みプラグ２３を有する再生ユニット１７を取付けるとともに、この再生ユニット１７の取付け接続具２４に照明器具１８を取付けるようにし、上記再生ユニット１７に対してはＡＣ電源配線３７に音声信号を重畳して供給する。【選択図】  図２
2004328678.tif 000002
【特許請求の範囲】
【請求項１】
天井の照明器具の取付け接続部にスピーカを有する再生ユニットを取付け、前記再生ユニットを介してその下に照明器具を取付け、
前記取付け接続部を介して供給される電源に前記スピーカを駆動する音声信号を重畳し、前記再生ユニットのデコーダが前記音声信号を取出して前記スピーカを駆動することを特徴とするオーディオ装置。
【請求項２】
前記天井の取付け接続部と接続されるコンセントを介して電源ラインにオーディオソースからの音声信号をエンコードミキサによって重畳することを特徴とする請求項１に記載のオーディオ装置。
【請求項３】
前記再生ユニットのデコーダが磁気カップリングを介して前記取付け接続部に印加される電源から音声信号を取出して前記デコーダで復調し、前記スピーカを駆動することを特徴とする請求項１に記載のオーディオ装置。
【請求項４】
天井の照明器具の取付け接続部にこのオーディオ装置のサラウンドスピーカまたはリヤスピーカを有する再生ユニットを取付け、
前記再生ユニットの取付け接続部を介して照明器具を取付けることを特徴とするオーディオ装置。
【請求項５】
前記再生ユニットが左右一対のサラウンドスピーカまたはリヤスピーカを有することを特徴とする請求項４に記載のオーディオ装置。
【請求項６】
前記再生ユニットに設けられている左右一対のサラウンドスピーカまたリヤスピーカが互いに逆方向であって斜め側方に向いて取付けられることを特徴とする請求項５に記載のオーディオ装置。
【請求項７】
前記再生ユニットに設けられている左右一対のサラウンドスピーカまたはリヤスピーカが斜め上方に向けて取付けられることを特徴とする請求項５に記載のオーディオ装置。
【請求項８】
前記再生ユニットに設けられている左右一対のサラウンドスピーカまたはリヤスピーカからの再生音がリスナの後方の壁面または天井で反射されることを特徴とする請求項５に記載のオーディオ装置。
【請求項９】
左右のサラウンドスピーカたはリヤスピーカがそれぞれ独立の再生ユニットに取付けられ、しかも前記一対の再生ユニットが天井に離間して設けられている一対の照明器具の取付け接続部にそれぞれ取付けられ、それぞれの再生ユニットの取付け接続部に照明器具が取付けられることを特徴とする請求項４に記載のオーディオ装置。
【請求項１０】
左右のサラウンドスピーカまたはリヤスピーカを取付けた一対の再生ユニットがリスナに対してその左右両側に位置することを特徴とする請求項９に記載のオーディオ装置。
【請求項１１】
左右のサラウンドスピーカまたはリヤスピーカからの再生音がリスナの後方の壁面で反射されることを特徴とする請求項１０に記載のオーディオ装置。
【請求項１２】
天井の照明器具の取付け接続部にこのオーディオ装置のサラウンドスピーカまたはリヤスピーカを有する再生ユニットを取付け、
光を媒体とする送信手段によって前記再生ユニットに音声信号を供給し、前記再生ユニットのデコーダが光に重畳された音声信号を抜出して前記スピーカに供給することを特徴とするオーディオ装置。
【請求項１３】
音声信号が重畳される光が赤外線であることを特徴とする請求項１２に記載のオーディオ装置。
【請求項１４】
天井の照明器具の取付け接続部にこのオーディオ装置のサラウンドスピーカまたはリヤスピーカを有する再生ユニットを取付け、
電波を媒体とする送信手段によって前記再生ユニットに音声信号を供給し、前記再生ユニットの受信回路が音声信号を復調して前記スピーカに供給することを特徴とするオーディオ装置。
【請求項１５】
オーディオソースからの音声信号を変調して電波によって無線で前記再生ユニットに送信することを特徴とする請求項１４に記載のオーディオ装置。
【発明の詳細な説明】
【０００１】
【発明の属する技術分野】
本発明はオーディオ装置に係り、とくに天井の照明器具の取付け接続部を利用し、この取付け接続部に再生ユニットによってスピーカを配するようにしたオーディオ装置に関する。
【０００２】
【従来の技術】
立体的な音像を形成して音楽を楽しむための最もシンプルなステレオ方式のオーディオ装置は、左右一対のスピーカを設け、これらのスピーカによって左右の音声を再生するものである。より高度のステレオ装置とする場合には、さらに左右一対のサラウンドスピーカあるいはリヤスピーカを用いる。この場合にはリスナの前方であって左右にそれぞれ左右のフロントスピーカが配されるとともに、リスナの斜め後方には左右のリヤスピーカが配される。
【０００３】
このようなホームシアター方式のオーディオ装置においては、前方および後方の左右のスピーカにそれぞれ配線を行なわなければならない。一般にオーディオソースはリスナの前方側に設けられるために、オーディオソースからとくにリスナの左右の後方に配されるサラウンドスピーカあるいはリヤスピーカに対しては、長い配線によって音声信号を供給する必要がある。
【０００４】
なお特開昭６０−１４３５０６号公報には、電燈線ソケットに差込み可能なブラグと、電球ブラグが差込み可能なソケットと、音響機器を内蔵するキャビネットから成る音響装置が開示されている。ここで音響装置がラジオ受信機から構成され、そのスピーカによって音声を再生するようになっている。
【０００５】
また特開平９−１３９９０５号公報には、照明器具用差込プラグを備えた投写表示装置であって、照明器具用プラグ受けと照明器具用差込プラグとを備えた投写表示装置から構成し、特別な工事を必要とせず、照明器具が障害ともならず、また投影方向を容易に変えることが可能な吊り下げ型の投写表示装置が開示されている。
【０００６】
【特許文献１】特開昭６０−１４３５０６号公報
【特許文献２】特開平９−１３９９０５号公報
【発明が解決しようとする課題】
上述のように前方側の左右一対のフロントスピーカと後方の左右一対のサラウンドスピーカあるいはリヤスピーカとによって構成されるオーディオ装置は、オーディオソースから４つのスピーカに対してそれぞれ配線を行なわなければならず、室内にこのような配線を行なうと非常に邪魔になる。とくにリヤスピーカがリスナの後方に配されるために、前方に配されているオーディオソースから長い配線を施す必要があり、邪魔になるばかりか繁雑な外観を呈する。
【０００７】
特開昭６０−１４３５０６号公報に開示されている方式は、ラジオ受信機の電源を電燈線ソケットのプラグから取るものであって、オーディオ装置を構成するサラウンドスピーカ等の取付けに関するものではない。またこのような方式は、ラジオ受信機のように無線で電波によって信号を受信するものにしか適用することができない問題がある。
【０００８】
本発明はこのような問題点に鑑みてなされたものであって、オーディオ装置を構成するスピーカ、とくにサラウンドスピーカあるいはリヤスピーカ等に対する配線を無くすとともに、狭い部屋であっても広い部屋にオーディオ装置を配したと同じような音像を形成し、これによって音楽等を楽しむことができるようにしたオーディオ装置を提供することを目的とする。
【０００９】
【課題を解決するための手段】
本願の主要な発明は、
天井の照明器具の取付け接続部にスピーカを有する再生ユニットを取付け、前記再生ユニットを介してその下に照明器具を取付け、
前記取付け接続部を介して供給される電源に前記スピーカを駆動する音声信号を重畳し、前記再生ユニットのデコーダが前記音声信号を取出して前記スピーカを駆動することを特徴とするオーディオ装置に関するものである。
【００１０】
ここで前記天井の取付け接続部と接続されるコンセントを介して電源ラインにオーディオソースからの音声信号をエンコードミキサーによって重畳することが好ましい。また前記再生ユニットのデコーダが磁気カップリングを介して前記取付け接続部に印加される電源から音声信号を取出して前記デコーダで復調し、前記スピーカを駆動することが好ましい。
【００１１】
本願の別の主要な発明は、
天井の照明器具の取付け接続部にこのオーディオ装置のサラウンドスピーカまたはリヤスピーカを有する再生ユニットを取付け、
前記再生ユニットの取付け接続部を介して照明器具を取付けることを特徴とするオーディオ装置に関するものである。
【００１２】
ここで前記再生ユニットが左右一対のサラウンドスピーカまたはリヤスピーカを有することが好ましい。また前記再生ユニットに設けられている左右一対のサラウンドスピーカまたリヤスピーカが互いに逆方向であって斜め側方に向いて取付けられることが好ましい。また前記再生ユニットに設けられている左右一対のサラウンドスピーカまたはリヤスピーカが斜め上方に向けて取付けられることが好ましい。また前記再生ユニットに設けられている左右一対のサラウンドスピーカまたはリヤスピーカからの再生音がリスナの後方の壁面または天井で反射されることが好ましい。
【００１３】
さらに別の発明は、
左右のサラウンドスピーカたはリヤスピーカがそれぞれ独立の再生ユニットに取付けられ、しかも前記一対の再生ユニットが天井に離間して設けられている一対の照明器具の取付け接続部にそれぞれ取付けられ、それぞれの再生ユニットの取付け接続部に照明器具が取付けられるようにしたオーディオ装置に関するものである。
【００１４】
ここで左右のサラウンドスピーカまたはリヤスピーカを取付けた一対の再生ユニットがリスナに対してその左右両側に位置することが好ましい。また左右のサラウンドスピーカまたはリヤスピーカからの再生音がリスナの後方の壁面で反射されることが好ましい。
【００１５】
本願のさらに別の主要な発明は、
天井の照明器具の取付け接続部にこのオーディオ装置のサラウンドスピーカまたはリヤスピーカを有する再生ユニットを取付け、
光を媒体とする送信手段によって前記再生ユニットに音声信号を供給し、前記再生ユニットのデコーダが光に重畳された音声信号を抜出して前記スピーカに供給することを特徴とするオーディオ装置に関するものである。ここで音声信号が重畳される光が赤外線であることが好ましい。
【００１６】
本願のさらに別の主要な発明は、
天井の照明器具の取付け接続部にこのオーディオ装置のサラウンドスピーカまたはリヤスピーカを有する再生ユニットを取付け、
電波を媒体とする送信手段によって前記再生ユニットに音声信号を供給し、前記再生ユニットの受信回路が音声信号を復調して前記スピーカに供給することを特徴とするオーディオ装置に関するものである。ここでオーディオソースからの音声信号を変調して電波によって無線で前記再生ユニットに送信することが好ましい。
【００１７】
本願に含まれる発明の好ましい態様は、照明器具の取付け接続部と接続される差込みプラグを備え、そこから電力を取ることを可能にした音響装置である。また別の態様は、照明器具のための取付け接続部を備え、そこから他の照明のために電力の供給ができるようにした音響装置である。他の態様は、上記の差込みプラグが回転可能に取付けられることである。他の態様は、照明器具用の取付け接続部を回転可能にしたものである。また他の態様は、照明器具用取付け接続部に対する電圧を制御できるようにしたものである。また音声信号を配線を用いることなく電源ラインあるいはワイヤレスによって受信できるようにしたものである。このような態様の構成によれば、音声信号と電力の供給のための配線を不要にし、ホームシアター等のオーディオ装置がすっきりして室内の乱雑さや外観の悪化を防止できる。
【００１８】
【発明の実施の形態】
図１〜図３は第１の実施の形態のオーディオ装置のシステム構成の概略を示すものであって、このオーディオ装置はその前方のほぼ中央部に平面型ディスプレイ１０を備えている。平面型ディスプレイ１０は例えばプラズマパネル等から構成されてよい。そしてこのような平面型ディスプレイ１０がスタンド１１上に直立して載置されている。そして上記ディスプレイ１０の左右両側にはそれぞれフロントスピーカ１３、１４が配されている。なおここでは左右のフロントスピーカ１３、１４が細長い直方体状のキャビネットを備えている。
【００１９】
これに対してこのオーディオ装置のサラウンドスピーカを構成する左右のリヤスピーカ１５、１６はリスナのほぼ頭上であって天井に取付けられるようになっている。すなわち左右のリヤスピーカ１５、１６は再生ユニット１７に斜め後方であって斜め側方に向けて取付けられている。そしてこのような再生ユニット１７の底部に照明器具１８が取付けられるようになっている。
【００２０】
とくにこの実施の形態のオーディオ装置の大きな特徴である左右のサラウンドスピーカあるいはリヤスピーカ１５、１６の取付けが、図４および図５に示すような照明器具用取付け接続具２２と差込みプラグ２３とによって取付けられるようになっている。なお取付け接続具２２が本発明の取付け接続部を構成している。すなわち天井２１に取付けられる取付け接続具２２はその下面であって両端に図４に示すように円弧状溝２７を備えるとともに、これらの円弧状溝２７に差込みプラグ２３の接続端子２８が挿入され、この状態で差込みプラグ２３を回転させることにより、接続端子２８が取付け接続具２２内の端子と接触するようになっている。このような差込みプラグ２３の取付け接続具２２に対する取付けによって、照明器具１８に対する電源の供給回路の成立と、照明器具１８の機械的な支持とを同時に達成するようにしている。
【００２１】
本実施の形態においては図５に示すように、再生ユニット１７の上面に差込みプラグ２３を設け、この差込みプラグ２３を天井２１に設けられている取付け接続具２２に接続している。そしてこの再生ユニット１７の下部に設けられている取付け接続具２４に照明器具１８の差込みプラグ２５を接続するようになっている。すなわち再生ユニット１７が天井２１の取付け接続具２２と照明器具１８との間に挿入されるようになる。
【００２２】
次にこのような再生ユニット１７に対する音声信号の供給について説明する。音声信号はＡＣ電源配線３７を介して再生ユニット１７に供給されるようになっている。すなわち図５に示すようにオーディオソース３３からのオーディオ信号はエンコードミキサ３４によって変調され、プラグ３５およびコンセント３６を介してＡＣ電源配線３７上の交流の商用電源に重畳されるようになっている。
【００２３】
図６は再生ユニット１７側の復調回路の構成を示しており、ここではＡＣ電源配線３７と磁気カップリング４０を介してデコーダ４１が接続されている。そしてこのデコーダ４１によってアンプ４２に制御信号を供給している。なおアンプ４２はＡＣ電源配線３７から供給される電源によって駆動回路４３で駆動されるようになっている。
【００２４】
次に以上のような構成に係るこのオーディオ装置の動作について説明する。チューナ、テーププレーヤ、ＣＤプレーヤ、ＤＶＤプレーヤ等のオーディオソース３３からの音声信号は左右のフロントスピーカ１３、１４に供給されるとともに、さらに図５に示すエンコードミキサ３４によって変調され、プラグ３５、コンセント３６によってＡＣ電源配線３７上の交流電源に重畳された状態で取付け接続具２２および差込みプラグ２３を介して再生ユニット１７の図６に示す磁気カップリング４０に供給される。磁気カップリング４０はＡＣ電源配線３７からのオーディオ信号をデコーダ４１に伝送し、ここで信号の復調が行なわれる。さらに駆動回路４３がＡＣ電源配線３７によって駆動される。従ってアンプ４２がデコーダ４１によって復調された信号に応じた音声電流をスピーカ１５、１６のボイスコイルに流す。これによって後方の左右のリヤスピーカ１５、１６がそれぞれ音声信号を発生する。
【００２５】
平面型ディスプレイ１０と対向するように椅子に座っているリスナは左右の前方側のフロントスピーカ１３、１４からの音声を直接聴くとともに、頭上の再生ユニット１７の左右のリヤスピーカ１５、１６からの音声を背面側壁面３０によって反射させて聴くことになる。従ってこのような背面側壁面３０によるリヤスピーカ１５、１６からの反射を有効に利用することによって、狭い部屋であってもあたかもリヤスピーカ１５、１６が大きな部屋のはるか後方に位置する場合と同じような音像を形成することが可能になる。
【００２６】
このようなオーディオ装置は、左右のサラウンドスピーカを構成するリヤスピーカ１５、１６がともに天井２１の取付け接続具２２に取付けられるために、リヤスピーカ１５、１６を部屋の床面上に配置する必要がなくなる。またこのようなリヤスピーカ１５、１６の駆動電源が天井２１の取付け接続具２２を介してＡＣ電源配線３７によって行なわれるために、リヤスピーカ１５、１６に対する電源の配線が必要でなくなる。さらに左右のリヤスピーカ１５、１６はＡＣ電源配線３７に重畳されるオーディオ信号を再生ユニット１７内のデコーダ４１で復調して音声信号を再生できるために、左右のリヤスピーカ１５、１６にオーディオ信号用の配線を施す必要がなくなる。すなわちこのオーディオ装置は、とくにリヤスピーカ１５、１６に対する電力の供給と音声信号の供給のための配線が不要になり、ホームシアターがすっきり使用できるとともに、室内の乱雑さや外観の悪化を効果的に防止できるようになる。
【００２７】
次に別の実施の形態を図７によって説明する。この実施の形態は再生装置１７の左右両側にそれぞれ設けられている支持部４７、４８によって左右のリヤスピーカ１５、１６を斜め上方に向けて取付けたものである。すなわち支持部４７、４８に取付けられている左右のリヤスピーカ１５、１６からの音声を斜め上方に向けて放射することによって、天井２１の下面で音声を反射することが可能になる。なおこの場合に、天井２１で反射された音声をさらに背面側壁面３０や左右の両側の壁面で反射させるようにしてもよい。このような構成によれば、左右のリヤスピーカ１５、１６からリスナまでの距離をかせぐことが可能になり、これによって狭い部屋でもより広い部屋で音楽を聴くのと同じような音像とすることが可能になる。
【００２８】
次にさらに別の実施の形態を図８によって説明する。この実施の形態は天井に一対の取付け接続具２２を取付けるとともに、これらの取付け接続具２２にそれぞれ左右のリヤスピーカ１５、１６を備える再生ユニット５１、５２を取付けるようにしたものである。すなわちここでは天井２１の下面であってとくにリスナの左右の上部に左右の再生ユニット５１、５２を取付けるようにし、これらの再生ユニット５１、５２の背面側に配されている左右のリヤスピーカ１５、１６によって後方に向けて音声を放射するようにしたものである。従ってこの場合にはリヤスピーカ１５、１６からの音声は、背面側壁面３０によって反射されることになる。
【００２９】
次に別の実施の形態を図９および図１０によって説明する。この実施の形態は天井２１に取付け接続具２２を介して取付けられる再生ユニット１７に対する音声信号の供給を光によって行なうようにしたものである。すなわち図９に示すように再生ユニット１７に受光部５５が設けられるとともに、オーディオソース３３には光送信装置５６が接続され、この光送信装置５６の発光器５７からの光が再生ユニット１７の受光部５５に赤外線を発光し、この赤外線に重畳された信号によって音声信号の伝達を行なうようにしている。
【００３０】
図１０はこの場合の具体的な回路構成を示しており、再生ユニット１７側には受光部５５と接続された受信回路５９とデコーダ６０とが設けられるとともに、デコーダ６０がアンプ４２に音声信号を供給するようにしている。なおアンプ４２はＡＣ電源配線３７からの電源によって駆動回路４３で駆動される。これに対して光送信装置５６は変調回路６１と駆動回路６２とを備え、しかも駆動回路６２が発光器５７を駆動するようになっている。
【００３１】
従ってオーディオソース３３からの音声信号が変調回路６１によって変調され、駆動回路６２によって発光器５７が発光する光に変調された音声信号が重畳されて赤外線が発光される。この赤外光が発光器５７で受光されるとともに、受信回路５９によってデコーダ６０に送られ、デコーダ６０が音声信号を抜出してアンプ４２を駆動制御する。従ってスピーカ１５、１６がそれぞれ左右の音声信号の再生を行なう。
【００３２】
このような構成においても、左右のリヤスピーカ１５、１６に対する信号配線の必要がなくなる。またリヤスピーカ１５、１６の駆動電流は、ＡＣ電源配線３７によって取付け接続具２２から供給されるために、電源配線も必要でなくなる。
【００３３】
図１１は光に代えて電波によって再生ユニット１７にワイヤレスでオーディオ信号を供給するシステムを示している。ここでオーディオソース３３には変調回路６４が接続され、変調回路６４にアンテナ６６を備える送信回路６５が接続される。
【００３４】
これに対して再生ユニット１７側には、差込みプラグ２３の電源配線と接続される直流電源回路６８が設けられ、この電源回路６８によって受信回路６９とＣＰＵ７０とが駆動されるようになっている。なお受信回路６９にはアンテナ７２が接続されている。またこの装置は再生ユニット１７内に交流電圧変換回路７１を備え、このような交流電圧変換回路７１によって照明器具１８に印加する電圧を変換できるようにしている。
【００３５】
従ってオーディオソース３３からの音声信号を変調回路６４によって変調し、送信回路６５によってアンテナ６６を介して電波によってワイヤレスで再生ユニット１７側のアンテナ７２に供給する。従って受信回路６９はアンテナ７２によって受信された電波をＣＰＵ７０からの制御信号によって復調するとともに、この受信回路６９によって復調された音声信号をアンプ４２を介して左右のスピーカ１５、１６に供給する。従ってこれらのスピーカ１５、１６がそれぞれ音声信号を発することになる。
【００３６】
このような構成においても、再生ユニット１７はその電源を取付け接続具２２を介してＡＣ電源配線３７から取ることが可能になる。またリヤスピーカ１５、１６を駆動する音声信号を図１１に示す電波による送受信システムによってワイヤレスで供給することが可能になる。従って信号配線が必要でなくなり、すっきりしたホームシアターを構成することが可能になる。
【００３７】
以上本願に含まれる発明を図示の実施の形態によって説明したが、本願に含まれる発明は上記実施の形態によって限定されることなく、本願に含まれる発明の技術的思想の範囲内で各種の変更が可能である。例えば上記実施の形態は、サラウンドスピーカを構成する左右のリヤスピーカ１５、１６を天井２１の取付け接続具２２に取付けられる再生ユニット１７に設けるようにしたものであるが、さらにフロントスピーカ１３、１４についてもほぼ同様の構成とし、リスナの前方であって天井に設けられた取付け接続具２２に取付けた再生ユニット１７によってフロントスピーカ１３、１４から音声を放出することも可能である。
【００３８】
【発明の効果】
本願の主要な発明は、天井の照明器具の取付け接続部にスピーカを有する再生ユニットを取付け、再生ユニットを介してその下に照明器具を取付け、取付け接続部を介して供給される電源にスピーカを駆動する音声信号を重畳し、再生ユニットのデコーダが音声信号を取出してスピーカを駆動するようにしたものである。
【００３９】
従ってこのようなオーディオ装置によれば、天井の取付け接続部と照明器具との間に配される再生ユニットのスピーカによって音声を再生することが可能になるとともに、この再生ユニットの駆動と音声信号の供給とを電源配線によって行なうことが可能になり、スピーカに対する電源配線や音声信号のための配線が全く必要でなくなる。
【００４０】
本願の別の主要な発明は、天井の照明器具の取付け接続部にこのオーディオ装置のサラウンドスピーカまたはリヤスピーカを有する再生ユニットを取付け、再生ユニットの取付け接続部を介して照明器具を取付けるようにしたものである。
【００４１】
従ってこのようなオーディオ装置によれば、オーディオ装置のサラウンドスピーカあるいははリヤスピーカを天井の照明取付け接続部と照明器具との間に取付けられる再生ユニットに設けることが可能になり、これによってサラウンドスピーカやリヤスピーカをリスナの背面側の床上ではなく上方に配することが可能なり、このようなスピーカの音声を背面側壁面等を利用して反射させることによって、狭い空間を有効に利用して高品質の音像定位を形成することが可能になる。
【００４２】
本願のさらに別の主要な発明は、天井の照明器具の取付け接続部にこのオーディオ装置のサラウンドスピーカまたはリヤスピーカを有する再生ユニットを取付け、光を媒体とする送信手段によって再生ユニットに音声信号を供給し、再生ユニットのデコーダが光に重畳された音声信号を抜出してスピーカに供給するようにしたものである。
【００４３】
従ってこのようなオーディオ装置によれば、天井の照明器具の取付け接続部に取付けられた再生ユニットに対して光を媒体とする送信手段によって音声信号を供給することが可能になる。
【図面の簡単な説明】
【図１】オーディオ装置の全体のシステム構成を示す要部斜視図である。
【図２】同オーディオ装置の要部側面図である。
【図３】同オーディオ装置の要部平面図である。
【図４】取付け接続具と差込みプラグとの接続関係を示す分解斜視図である。
【図５】天井の取付け接続具に対する再生ユニットの取付けを示す正面図である。
【図６】再生ユニット側の復調回路の構成を示すブロック図である。
【図７】別の実施の形態の再生ユニットの正面図である。
【図８】さらに別の実施の形態のオーディオ装置の要部平面図である。
【図９】さらに別の実施の形態の再生ユニットに対する赤外線によるオーディオ信号の供給のためのシステムを示すブロック図である。
【図１０】同赤外線を用いたオーディオ信号の送信のためのシステムのブロック図である。
【図１１】電波によって再生ユニットにオーディオ信号を供給するシステムを示すブロック図である。
【符号の説明】
１０‥‥平面型ディスプレイ、１１‥‥スタンド、１３‥‥フロントスピーカ（左）、１４‥‥フロントスピーカ（右）、１５‥‥リヤスピーカ（左）、１６‥‥リヤスピーカ（右）、１７‥‥再生ユニット、１８‥‥照明器具、２１‥‥天井、２２‥‥取付け接続具、２３‥‥差込みプラグ、２４‥‥取付け接続具、２５‥‥差込みプラグ、２７‥‥円弧状溝、２８‥‥接続端子、３０‥‥背面側壁面、３３‥‥オーディオソース、３４‥‥エンコードミキサ、３５‥‥プラグ、３６‥‥コンセント、３７‥‥ＡＣ電源配線、４０‥‥磁気カップリング、４１‥‥デコーダ、４２‥‥アンプ、４３‥‥駆動回路、４７‥‥支持部（左）、４８‥‥支持部（右）、５１‥‥再生ユニット（左）、５２‥‥再生ユニット（右）、５５‥‥受光部、５６‥‥光送信装置、５７‥‥発光器、５９‥‥受信回路、６０‥‥デコーダ、６１‥‥変調回路、６２‥‥駆動回路、６４‥‥変調回路、６５‥‥送信回路、６６‥‥アンテナ、６８‥‥直流電源回路、６９‥‥受信回路、７０‥‥ＣＰＵ、７１‥‥交流電圧変換回路、７２‥‥アンテナ
【図１】
2004328678.tif 000003
【図２】
2004328678.tif 000004
【図３】
2004328678.tif 000005
【図４】
2004328678.tif 000006
【図５】
2004328678.tif 000007
【図６】
2004328678.tif 000008
【図７】
2004328678.tif 000009
【図８】
2004328678.tif 000010
【図９】
2004328678.tif 000011
【図１０】
2004328678.tif 000012
【図１１】
2004328678.tif 000013